【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
個人の管理情報を管理符号毎に記憶する記憶部と、
前記記憶部に記憶された前記個人の管理情報の前記管理符号と装置の識別情報とを使用して識別用シンボルを生成する識別用シンボル生成部と、
前記個人の管理情報のインデックスと前記識別用シンボルとの印刷を行う印刷部と、
前記印刷部によって印刷された印刷物に印刷された前記識別用シンボルの情報から前記装置の識別情報を読み取る読取部と、
前記読取部によって読み取られた前記識別用シンボルの前記装置の識別情報と読み取りを行った装置の識別情報との一致を判断し、両識別情報が一致する場合、前記個人の管理情報を表示する表示部と、
を有する、
ことを特徴とする印刷装置。
【請求項２】
前記個人の管理情報の表示は、前記装置に接続されたホスト機器の前記表示部に行うことを特徴とする請求項１に記載の印刷装置。
【請求項３】
前記識別用シンボル生成部は、更に印刷装置に接続された前記ホスト機器の識別情報も含めた前記識別用シンボルを生成し、前記印刷部によって前記識別用シンボルの印刷を行うことを特徴とする請求項１又は２に記載の印刷装置。
【請求項４】
前記読取部には鍵が設置され、前記装置の管理者によって当該鍵が管理されることを特徴とする請求項１乃至３のいずれかに記載の印刷装置。
【請求項５】
前記識別用シンボルは二次元バーコードであることを特徴とする請求項１乃至４のいずれかに記載の印刷装置。
【請求項６】
個人の管理情報を管理符号毎に記憶部に記憶する処理と、
前記記憶部に記憶された前記個人の管理情報の前記管理符号と装置の識別情報とを使用して識別用シンボルを生成する処理と、
前記個人の管理情報のインデックスと前記識別用シンボルとの印刷を行う印刷処理と、
前記印刷処理によって印刷された印刷物に印刷された前記識別用シンボルの情報から前記装置の識別情報を読み取る読取処理と、
前記読取処理によって読み取られた前記識別用シンボルの前記装置の識別情報と読み取りを行った装置の識別情報との一致を判断し、両識別情報が一致する場合、前記個人の管理情報を表示する表示処理と、
を行う、
ことを特徴とする印刷装置の制御方法。
【手続補正２】
【補正対象書類名】明細書
【補正対象項目名】発明の名称
【補正方法】変更
【補正の内容】
【発明の名称】印刷装置及び印刷装置の制御方法
【手続補正３】
【補正対象書類名】明細書
【補正対象項目名】０００１
【補正方法】変更
【補正の内容】
【０００１】
本発明はラベルプリンタ等の印刷装置及び印刷装置の制御方法に関する。
【手続補正４】
【補正対象書類名】明細書
【補正対象項目名】０００２
【補正方法】変更
【補正の内容】
【０００２】
印刷装置を使用してデータを印刷する際、バーコードやＱＲコード（商標）などの情報（識別用シンボル）を付加して印刷物を作成し、以後この印刷物に付加されたバーコードの情報をデジタルカメラ等で撮影し、ウェブサイト等へのアクセスを容易に行う方法が知られている。例えば、特許文献１はＩＤコードを印刷して、出荷する製品にシールとして張り付け、製品を購入した消費者は、携帯電話の読取装置を利用してＩＤコードを読取り、該当する商品のホームページへ容易にアクセスする発明を開示する。
【手続補正５】
【補正対象書類名】明細書
【補正対象項目名】０００５
【補正方法】変更
【補正の内容】
【０００５】
しかしながら、バーコードの情報を付加して印刷物を作成し、以後この印刷物に付加されたバーコードの情報に基づいて特定のデータにアクセスする際、ウェブサイト等へのアクセスには適しているが、個人が管理するデータにアクセスする場合には問題となる。例えば、個人が管理するスケジュール情報に第三者が自由にアクセスすることは問題であり、セキュリティを確保する必要がある。
【手続補正６】
【補正対象書類名】明細書
【補正対象項目名】０００６
【補正方法】変更
【補正の内容】
【０００６】
そこで、本発明は印刷物にバーコードの情報を付加する際、印刷を行う印刷装置の識別情報を含むバーコードを作成し、このバーコードを作成した印刷装置によってのみ必要とする情報にアクセスできる構成とすることによって、個人が管理するデータのセキュリティを確保する印刷装置及び印刷装置の制御方法を提供するものである。
【手続補正７】
【補正対象書類名】明細書
【補正対象項目名】０００７
【補正方法】変更
【補正の内容】
【０００７】
前記課題を解決するため、本発明の印刷装置の一態様は、個人の管理情報を管理符号毎に記憶する記憶部と、前記記憶部に記憶された前記個人の管理情報の前記管理符号と装置の識別情報とを使用して識別用シンボルを生成する識別用シンボル生成部と、前記個人の管理情報のインデックスと前記識別用シンボルとの印刷を行う印刷部と、前記印刷部によって印刷された印刷物に印刷された前記識別用シンボルの情報から前記装置の識別情報を読み取る読取部と、前記読取部によって読み取られた前記識別用シンボルの前記装置の識別情報と読み取りを行った装置の識別情報との一致を判断し、両識別情報が一致する場合、前記個人の管理情報を表示する表示部と、を有する、ことを特徴とする。
また、前記課題を解決するため、本発明の印刷装置の制御方法の一態様は、個人の管理情報を管理符号毎に記憶部に記憶する処理と、前記記憶部に記憶された前記個人の管理情報の前記管理符号と装置の識別情報とを使用して識別用シンボルを生成する処理と、前記個人の管理情報のインデックスと前記識別用シンボルとの印刷を行う印刷処理と、前記印刷処理によって印刷された印刷物に印刷された前記識別用シンボルの情報から前記装置の識別情報を読み取る読取処理と、前記読取処理によって読み取られた前記識別用シンボルの前記装置の識別情報と読み取りを行った装置の識別情報との一致を判断し、両識別情報が一致する場合、前記個人の管理情報を表示する表示処理と、を行う、ことを特徴とする。
【手続補正８】
【補正対象書類名】明細書
【補正対象項目名】００１１
【補正方法】変更
【補正の内容】
【００１１】
パーソナルコンピュータ（ＰＣ１〜３）は、例えばＬＡＮ等のネットワークで接続され、グループウエアを構成し、会議等のスケジュール情報を共有している。また、パーソナルコンピュータ（ＰＣ１）〜（ＰＣ３）は対応する印刷装置１〜３に印刷データを送信し、印刷装置１〜３に印刷データに従った印刷出力を行わせる。
【手続補正９】
【補正対象書類名】明細書
【補正対象項目名】００１８
【補正方法】変更
【補正の内容】
【００１８】
次に、ＱＲコードを生成する（Ｓ４）。このＱＲコードの生成は、例えばＣＰＵ４がＲＯＭ５に記憶されたＱＲコード作成プログラムを読み出し、上記スケジュールのデータ番号と印刷装置（例えば、印刷装置１）の識別コードの情報とを使用して作成する。
【手続補正１０】
【補正対象書類名】明細書
【補正対象項目名】００１９
【補正方法】変更
【補正の内容】
【００１９】
このようにして作成されたＱＲコードと、スケジュール情報のインデックスとして例えば会議の日時の情報と、は印刷部９に出力され、印刷部９によってラベルに印刷される（Ｓ５）。その後、印刷されたラベル紙はユーザの目の届く場所、例えばテーブルの端やパーソナルコンピュータのディスプレイの端等の目立つ場所に貼り、会議の日時を忘れないようにする。
【手続補正１１】
【補正対象書類名】明細書
【補正対象項目名】００２１
【補正方法】変更
【補正の内容】
【００２１】
先ず、ＱＲコードが印刷されたラベル紙を読取部８であるスキャナーに挿入し、読取部８にＱＲコードの読み取り処理を行わせる（ステップ（以下、ＳＴで示す）１）。次に、読取部８によって読み取られたＱＲコードのデータはＣＰＵ４によってデコード処理される（ＳＴ２）。このデコード処理によって、前述のスケジュール情報のデータ番号と印刷装置１の識別コードとが取得される。
【手続補正１２】
【補正対象書類名】明細書
【補正対象項目名】００２２
【補正方法】変更
【補正の内容】
【００２２】
次に、取得した印刷装置１の識別コードとＲＯＭ５に記憶された識別コードとの一致を判断する（ＳＴ３）。ここで、ユーザ自身が作成したラベル紙に印刷したＱＲコードを読み取らせた場合であれば、通常両識別コードは一致する（ＳＴ３がＹＥＳ）。すなわち、ＱＲコードを作成した印刷装置１の読取部８を使用して、当該ＱＲコードのデコード処理を行ったのであれば、両識別コードは一致する。
【手続補正１３】
【補正対象書類名】明細書
【補正対象項目名】００２６
【補正方法】変更
【補正の内容】
【００２６】
また、上記実施形態によれば、ＱＲコードの生成に印刷装置１の識別コードとスケジュール情報のデータ番号とを使用したが、更に印刷装置１に接続されたパーソナルコンピュータ（ＰＣ１）の識別番号（識別情報）を含めてＱＲコードを生成するようにしてもよい。このように構成することによって、更にセキュリティの優れた印刷装置とすることができる。
【手続補正１４】
【補正対象書類名】明細書
【補正対象項目名】００２９
【補正方法】変更
【補正の内容】
【００２９】
本発明はいくつかの実施形態を説明したが、本発明は特許請求の範囲に記載された発明とその均等の範囲とに含まれる。以下、本件特許出願の出願当初の特許請求の範囲に記載された発明を付記する。
【手続補正１５】
【補正対象書類名】図面
【補正対象項目名】図１
【補正方法】変更
【補正の内容】
【図１】
2013078856.tif 000001